Podtech/llm-jp-corpus-v4-ja_patent huggingface dataset:
(57)【要約】【課題】野菜や果実の水切りをする時に、容易に水分を取り去ることができるように、多角形網目体の各角に指を引っ掛けるリングをつけた野菜・果物用水切りネットの提供。【解決手段】多角形網目体（１）の各角に指に引っ掛けるリング（２）を取り付ける。【選択図】図３
2014204937.tif 000002
【特許請求の範囲】
【請求項１】
多角形の網目体からなり、各角に指を引っ掛けるリングを設けてある野菜・果実の水切り用ネット。
【請求項２】
網目体が正方形からなる請求項１記載の野菜・果実の水切りネット。
【請求項３】
リングは２〜３本の指が入るような大きさとした請求項１または請求項２記載の水切りネット。
【発明の詳細な説明】
【技術分野】
【０００１】この発明は、サラダを作ったり炒め物をしたりする際に、野菜や果物に付着した水分を取り除くための、野菜・果物の水切り用ネットに関するものである、
【背景技術】
【０００２】従来、野菜を洗って水を切る場合にはザルに入れて振ったり、キッチンペーパーで拭いたり、またはサラダスピナーという容器（特許文献１）に入れて遠心力で水分をはじいていた。
また、四角い布状のシリコンの袋に、ザルの様に５ｍｍ〜６ｍｍほどの粗い穴を数多く設け、野菜を収容して振ることにより、水切りを行うネットザル（特許文献２）が提案されている。【０００３】これらは、以下のような欠点があった。
（イ）ザルは蓋がないため、振ると生野菜が飛び出してしまう。
（ロ）キッチンペーパーを水切りのたびに使用するのは環境の面からも経済面からも望        ましくない。
（ハ）サラダスピナーなどの容器は、水切り後に洗って片づけるという煩雑さがある。        そのため、小人数の家庭や短時間で食事の準備をしなければならない時は使用さ        れていない可能性がある。
（ニ）袋を作成するために３縁を縫製する必要があると共に、振るための把持が困難で        ある。
【先行技術文献】
【特許文献】
【０００３】
【特許文献１】特開２００４−７３９２８号
【特許文献２】特開２０１２−１５２５３０号
【発明の概要】
【発明が解決しようとする課題】
【０００４】本発明は、容器を洗う煩雑さやキッチンペーパーを無駄に使用することをなくし、指１本で簡単にネットを振ることで、生野菜の水分をほぼ完璧に飛ばすことができる野菜・果物の水切り用ネットを提供する。
【課題を解決するための手段】
【０００５】本発明の野菜・果物の水切り用ネットは、多角形の網目体からなり、各角に指を引っ掛けるリングを設けてある。
網目体は正方形とするのがよく、リングの大きさは２〜３本の指が入るようにする。
【発明の効果】
【０００６】本発明は、多角形の網目体の各角にリングが取り付けてあるので、リングを集合して指を通すことにより、野菜・果物の水切りが指１本または２〜３本でいとも簡単にできる。収納場所もとらないうえ、環境面にも配慮でき、縫製が不要である。野菜や果物の水切りには、「振る」ほうが「拭く」よりもはるかに適しているうえ、使用後はリングの一つを布フキンなどと同じように引っ掛けて干しておくことによって、水分が蒸発して衛生的である。
【図面の簡単な説明】
【０００７】
【図１】本発明品の正面図である。
【図２】本発明品の側面図である。
【図３】本発明品の使用図である。
【符号の説明】１  網目体
２  リング
【発明を実施するための形態】
【実施例】
【０００８】以下、本発明を実施するための実施例について説明する。
網目体（１）は正方形を好適とする多角形にする。
多角形の網目体の各角に、指やフックに引っ掛けるためのリング（２）を設ける。
ネットの端は、ほつれないように水に強いテープなどで処理するのがよい。
正方形にした場合の大きさは、野菜・果物が多めの場合（約４〜５人用）には４０ｃｍ角位、野菜・果物が少なめの場合（約１〜３人用）には３０ｃｍ角位が適している。
これを使用する時は、ネットの上に野菜・果物を載せて、四隅のリングを指１本に引っ掛け、あるいは４つのリングを２〜３本の指でしっかり持って、２〜３回振ることによって水を切ればよい。【０００９】網目体は化学繊維や化学フィルム等の水に強く軽いものを用いる。
【図１】
2014204937.tif 000003
【図２】
2014204937.tif 000004
【図３】
2014204937.tif 000005
(57)【要約】【課題】指先に刺さる恐れのある金属片を磁着収集して所定の場で分離出来る指握力式金属片磁着脱玩具を提供する。【解決手段】上面部と低面に板を付けた円筒形ケースを設け、該ケースの底板上部内に磁石を設け、該磁石に上面中央部から上方に伸びる支柱を繋ぎ設け、該支柱に繋がる指掛け用の柄を円筒形ケースの両外側に設け、指掛け用の柄の上下移動用のガイド縦穴を設け、指掛け用の柄の中央部に凸起を設け、該凸起を被う上方に末広がりのコイルバネを円筒形ケースの上面板下内側まで設け、円筒形ケースの最上部に滑り止め刻み付き親指掛け用台を設け、円筒形ケースの下縁から末広がりの外周磁力減衰傾斜を設けたことを特徴とする指握力式金属片着脱玩具。【選択図】図１
2014204936.tif 000002
【特許請求の範囲】
【請求項１】
上面部と低面に板を付けた円筒形ケースを設け、該ケースの底板上部内に磁石を設け、該磁石に上面中央部から上方に伸びる支柱を繋ぎ設け、該支柱に繋がる指掛け用の柄を円筒形ケースの両外側に設け、指掛け用の柄の上下移動用のガイド縦穴を設け、指掛け用の柄の中央部に凸起を設け、該凸起を被う上方に末広がりのコイルバネを円筒形ケースの上面板下内側まで設け、円筒形ケースの最上部に滑り止め刻み付き親指掛け用台を設け、円筒形ケースの下縁から末広がりの外周磁力減衰傾斜を設けたことを特徴とする指握力式金属片着脱玩具。
【発明の詳細な説明】
【技術分野】
【０００１】本発明は、片手で金属片を磁着収集分離出来る指握力式金属片着脱玩具に関するものである。
【背景技術】
【０００２】従来、磁石板の入った非磁性体のケースの底面に磁着した金属片を磁石板を引き抜くことにより分離する具があった。
【先行技術文献】
【０００３】
【特許文献１】
【発明の概要】
【発明が解決しようとする課題】
【０００４】その為に次のような問題点があった。（イ）片手で非磁性体のケースを持ち、片方の手で磁石板を引き抜かなければならない。（ロ）磁石板を引き抜く時に危険な金属片が指に刺さる恐れがあった。本発明はこれらの問題点を解決する為になせれたものである。
【課題を解決する為の手段】
【０００５】上面部と低面に板を付けた、円筒形のケースを設け、該ケースの低板上部内に磁石を設け、該磁石に上面中央部から上方に伸びる支柱を繋ぎ設け、該支柱に繋げた指掛け用の柄を円筒形のケースの両外側の設け、指掛け用の柄の上下移動用のガイド縦穴を設け、指掛け用の柄の中央部に凸起を設け、該凸起を被う上方に末広がりのコイルバネを円筒形ケースの上面板下内側まで設け、円筒形ケースの最上部に滑り止め刻み付き親指掛け用台を設け、該円筒形ケースの下縁から末広がりの外周磁力減衰傾を設ける。以上を特徴とする指握力式金属片着脱玩具である。
【発明効果】
【０００６】片手で磁着収集して所定の場で指握力で分離出来るので危険な金属片が指の刺さる恐れがなく安全である。
【図面の簡単な説明】
【０００７】
【図１】本発明の側面図Ａ
【図２】本発明の側面図Ｂ
【図３】本発明の上面図
【発明を実施する為の形態】
【０００８】以下、本発明の実施の形態について説明する。（イ）上面部板（１）と低面板（２）を付けた円筒形ケース（３）を設け、該ケース（３）の低面板（２）  の上部内に磁石（４）を設け、該磁石（４）に繋がる上方に伸びる支柱（５）を設ける。（ロ）支柱（５）に繋がる指掛け用の柄（６）を円筒形ケース（３）の両外側に設け、指掛け用の柄（６）の上下移動用ガイド縦穴（７）を設け、指掛け用の柄（６）の中央部に凸起（８）を設ける。（ハ）凸起（８）を被う上方末広がりのコイルパネ（９）を円筒ケース（３）の上面板（１）の下内側まで設け円筒形ケース（３）の最上部に滑り止め刻み付き親指掛け用台（１１）を設け、円筒形ケース（３）の下縁から末広がりの磁力減衰傾斜（１０）を設ける。本発明は以上のような構成で、これを使用するときは、親指を円筒形ケース（３）の最上部（１１）と柄（６）に指を掛けて、軽く持って金属片を磁着収集して所定の場所で指握力によって安全に分離が出来る。
【図１】
2014204936.tif 000003
【図２】
2014204936.tif 000004
【図３】
2014204936.tif 000005
(57)【要約】      （修正有）【課題】野球に於いて、右投手と捕手との仕事の負担を軽減することで、それぞれに課せられた成績を向上させる野球ゲーム方法の提供。【解決手段】捕手として、左利きの捕手を選手登録し、投手が右利きの時、左利きの捕手を起用し、右利きの捕手は１塁手になり、投手が左利きの時、右利きの捕手を起用し、左利きの捕手は１塁手になる。【選択図】図１
2014204941.tif 000002
【特許請求の範囲】
【請求項１】
投手が、右利きの時、左利きの捕手を捕手に起用して、右利きの捕手は、一塁手になる。
【請求項２】
投手が、左利きの時、右利きの捕手を捕手に起用して、左利きの捕手は、一塁手になる。
【請求項３】
請求項１と請求項２とを同時に満たすこと。
【請求項４】
この発明の対価は、メープルリーフ金貨３３枚。
【請求項５】
左利きの捕手を、捕手として選手登録する。
【発明の詳細な説明】
【技術分野】
【０００１】  野球
【背景技術】
【０００２】  発祥より今日に至るまでの野球の歴史。
【先行技術文献】
【非特許文献】
【０００３】
【非特許文献１】  愛媛県松山市の坊っちゃんスタジアム前に立つ碑文。
【発明の概要】
【発明が解決しようとする課題】
【０００４】  右の投手と捕手との仕事の負担を軽減することで、それぞれに課せられた成績を向上させる方法。
【課題を解決するための手段】
【０００５】  左利きの捕手を捕手として選手登録する。
【発明の効果】
【０００６】  捕手は、左右両方が存在し、それぞれが、一塁手を兼務する。左利きの捕手は、右投手にとって、打者に対して有利である。
【図面の簡単な説明】
【０００７】
【図１】  右投手から見た右利きの捕手と左利きの捕手
【図２】  右投手の時の守備陣営
【図３】  左投手の時の守備陣営
【発明を実施するための形態】
【０００８】  投手が右利きの時、左利きの捕手を起用し、右利きの捕手は、一塁手になる。投手が左利きの時、右利きの捕手を起用し、左利きの捕手は、一塁手になる。
【実施例】
【０００９】  １８８９年  正岡子規および弟子河東碧梧桐ら。於  愛媛県松山市
【産業上の利用可能性】
【００１０】  ＮＰＢ（日本野球機構）など、実践に向いている。
【符号の説明】
【００１１】
2014204941.tif 000003
【図１】
2014204941.tif 000004
【図２】
2014204941.tif 000005
【図３】
2014204941.tif 000006
(57)【要約】      （修正有）【課題】食事中に食事摂取器具を一時的に置き、ゆっくり食事摂取をすることの習慣付けをさせるために工夫した食事習慣矯正具を提供する。【解決手段】食事摂取器具１に付けた近接検知タグ２、および、アラーム装置３を設けた食事習慣矯正具。【選択図】図１
2014204942.tif 000002
【特許請求の範囲】
【請求項１】
食事摂取器具（１）に付けた近接検知タグ（２）、および、アラーム装置（３）を設けたことを特徴とする食事習慣矯正具。
【発明の詳細な説明】
【技術分野】
【０００１】  本発明は、食事習慣の矯正を手助けするために工夫した食事習慣矯正具に関するものである。
【背景技術】
【０００２】  従来、ダイエットを目指す者（以下、対象者と呼ぶ）が早食いを矯正する方法として、タイマーによるアラーム通知する方法が知られていた。
【先行技術文献】
【特許文献】
【０００３】
【特許文献１】  特開２００９−０６９１３４号公報
【発明の概要】
【発明が解決しようとする課題】
【０００４】  対象者が食事中に箸、フォーク、スプーンなど（以下、食事摂取器具と呼ぶ）を一時的に置いて食事を採る行為は、ゆっくり食事摂取をすることにつながり、摂取量を過剰にさせないため、ダイエット効果があることが知られている。
ところが、対象者は、食事などに集中するあまり、食事摂取器具を一時的に置く動作を忘れがちであった。
【課題を解決するための手段】
【０００５】  食事摂取器具（１）に付けた近接検知タグ（２）、および、アラーム装置（３）を設ける。
以上のように構成された食事習慣矯正具。
【発明の効果】
【０００６】  本発明により、対象者は食事中に食事摂取器具を一時的に置き、ゆっくり食事摂取をすることの習慣付けをすることができる。
本発明の食事習慣矯正機は、近接検知タグを付した食事摂取器具が食事中の一定時間に近接しない場合にアラーム装置が警告音を発する機能を有する。
【図面の簡単な説明】
【０００７】
【図１】  本発明の使用状態（はし、はし置きの例）を示した斜視図である。
【図２】  本発明の使用状態（フォーク、ランチマットの例）を示した斜視図である。
【発明を実施するための形態】
【０００８】  以下、本発明の実施の形態を説明する。
対象者は近接検知タグ（２）を付与した食事摂取器具（１）と同時にアラーム装置（３）を食卓に設置する。
アラーム装置は近接検知タグがアラーム装置から一定距離以上離れてから一定時間内に、再び近接検知タグが近接しない場合には警告音を発する。
さらに、近接検知タグがアラーム装置に近接して一定時間経過前に離れる場合にも警告音を発する。
アラーム装置は警告音を発する状態、または、その直前の状態を視覚的に対象者へ伝達するための表示装置（４）を有する。
以上のように構成された食事習慣矯正機。
本発明を使用するときは、アラーム装置が警告を発するための時間間隔を予め対象者によって設定可能である。
警告音量は対象者によって設定可能である。
食事摂取器具（１）と近接検知タグ（２）が一体の場合もあるが、別々の場合もある。
設定された時間を超えて近接検知タグが近接しない場合にアラーム装置は警告音を発して、対象者へ食事摂取器具を置くことを効果的に知らせる。
【符号の説明】
【０００９】１  食事摂取器具
２  近接検知タグ
３  アラーム装置
４  表示装置
【図１】
2014204942.tif 000003
【図２】
2014204942.tif 000004
(57)【要約】【課題】脂分を含む厨房廃水処理の現状は、廃棄物及び廃水内の脂分回収が不完全であり水系汚染の原因となる同時に、発生する汚泥処理、清掃に不潔な重労働が強いられている。【解決手段】無薬剤、無添加で厨房廃水内の脂分及び溶解成分を分離・固形化し、固形成分を賦活し活性炭化する。【選択図】図１
2014088304.tif 000002
【特許請求の範囲】
【請求項１】
厨房廃水中の脂分及び溶解成分を、無薬剤・無添加で固形化し、固形化物を賦活し活性炭化することを特徴とする技術
【発明の詳細な説明】
【技術分野】
【０００１】脂分が含有する厨房廃水を、水と固形物に分離し、固形物を活性炭化する技術
【背景技術】
【０００２】無薬剤・無添加による固液分離法によって分離された固形物を賦活し活性炭化する技術
【発明が解決しようとする課題】
【０００３】脂分を含む厨房廃水処理の現状は、廃棄物及び廃水内の脂分回収が不完全であり水系汚染の原因となる同時に、発生する汚泥処理、清掃に不潔な重労働が強いられている。
【課題を解決するための手段】
【０００４】無薬剤、無添加で厨房廃水内の脂分を分離・固形化し、固形成分を賦活し活性炭化する。
【発明の効果】
【０００５】汚泥の発生が無くなり、汚泥処理及び清掃が不要になる。
【０００６】厨房廃水内脂分の活性炭化により、この活性炭が排水下水水路へ流入することで、排水下水水路の浄化が促進され自然水系浄化に寄与する。
【図面の簡単な説明】
【０００７】
【図１】脂分を含む厨房廃水内成分の活性炭化フロー
【産業上の利用可能性】
【０００８】厨房の衛生状態改善、及び廃棄物処理の減容化、簡素化、低費用化が促進される。【０００９】グリーストラップを必要とする市場の拡大
【符号の説明】
【００１０】１：厨房廃水内食材クズ受けかご
２：固液分離水路
３：固液分離ユニット
４：固形物乾燥炉
５：賦活炉
【図１】
2014088304.tif 000003
(57)【要約】【課題】  畳床は、従来は藁床製であり、吸湿性やクッション性に優れたものであった。しかし、最近では家の中で車椅子を使用することが多くなってきており、藁床では強度的に問題であった。即ち、強度が求められてきているのである。そこで、軽くて、水洗でき、且つ車椅子の使用に耐える畳床が要望されている。  【解決手段】  構成要素として下層から順に、裏面シート、低発泡ポリプロピレンボード、発泡スチロールボード、ハニカム構造ボード、低発泡ポリプロピレンボード、消臭シートから構成されているもの。【選択図】  図１
2014088723.tif 000002
【特許請求の範囲】
【請求項１】
構成要素として下層から順に、裏面シート、低発泡ポリプロピレンボード、発泡スチロールボード、ハニカム構造ボード、低発泡ポリプロピレンボード、消臭シートから構成されていることを特徴とする畳床。
【請求項２】
該ハニカム構造ボードのハニカムの６角形の１辺の長さが２〜６ｍｍである請求項１記載の畳床。
【発明の詳細な説明】
【技術分野】
【０００１】
本発明は、畳床に関するものである。
【背景技術】
【０００２】
畳床は、従来は藁床製であり、吸湿性やクッション性に優れたものであった。しかし、最近では家の中で車椅子を使用することが多くなってきており、藁床では強度的に問題であった。即ち、強度が求められてきているのである。
【０００３】
強度の点のみをとらえると、木質繊維ボード製のものがあり、比較的安価で強度があり、優れたものである。しかし、これは非常に重く、取り扱いが不便である。
【０００４】
また、アレルギーや清潔等の問題から、畳を水洗することが望まれてきている。また、風呂場では転倒事故の観点から硬いタイルより、畳のようなクッション性のあるものを床に使用したいという要望がある。
【０００５】
この水洗いの点から考えると、床をプラスチック製にすれば可能である。しかし、単なる従来のプラスチック製のものでは、上記した車椅子の使用には耐えない。直進はできても回転はできず、できたとしても畳が損傷して短期間で使用できなくなる。
【発明の開示】
【発明が解決しようとする課題】
【０００６】
上記のような問題点を考慮すれば、軽くて、水洗でき、且つ車椅子の使用に耐える畳床が要望されているということである。よって、本発明はこれを提供するものである。
【課題を解決するための手段】
【０００７】
このような現状に鑑み、本発明者は鋭意研究の結果本発明畳床を完成したものであり、その特徴とするところは、構成要素として下層から順に、裏面シート、低発泡ポリプロピレンボード、発泡スチロールボード、ハニカム構造ボード、低発泡ポリプロピレンボード、消臭カーボンシートから構成されている点にある。
【０００８】
ここで裏面シートとは、通常の畳床の裏面に使用されるものであればよく、特にどのようなものというものではない。一般的にはＰＰクロスと呼ばれるポリプロピレンのテープを織ったものである。通常のものでよい。
【０００９】
低発泡ポリプロピレンボードとは、発泡倍率が２〜６倍の独立発泡の板状体である。これは軽くて丈夫であり、ある程度のクッション性も有するものである。厚みは、０．８〜３（１．０〜２．０がより好適）ｍｍが好適である。
【００１０】
発泡スチロールボードは、独立発泡のポリスチレンであり、発泡倍率は、３０〜５０倍である。これが、全体の厚みを与え、芯になるものであり。厚みとしては、１５〜４５ｍｍであるが、全体の厚みの６５〜７０％になるのがよい。
圧縮強度としては、２０〜４０Ｎ／ｃｍ2、密度としては２０〜４０ｋｇ／ｍ3が好適である。この強度と軽さが重要であり、本発明の特徴となる部分である。
【００１１】
ハニカム構造ボードとは、プラ段の１種であるが、中がハニカム構造のなったものである。即ち２枚のプラスチック板でハニカム構造を挟んだものである。勿論、ハニカムの６角形が板に平行になるものである。勿論、このようなものはすでに市販されている。本発明では、強度の観点から、このハニカムの６角形の１辺の長さは２〜６ｍｍ（２〜３ｍｍがより好適）である。これ以上大きいと車椅子の方向転換等に耐えられなくなる。材質としては、自由であるがポリプロピレンのものが良かった。
【００１２】
このハニカム構造ボードは、車椅子との関係で圧縮強度が最も重要な数値である。発明者の実験では、ハニカムの格子が小さいことと、平面圧縮強度が０．７〜２ＭＰａであるがポイントである。
【００１３】
上下に存在する低発泡ポリプロピレンボードは同じものでも、発泡倍率や厚みの異なるものでもよい。
【００１４】
消臭シートとは、プラスチック（ポリエチレンが好適）に炭（木炭等）や活性炭等の吸着粒子を練りこんだものをシート状にしたものである。プラスチックであるため水洗は可能である。重量は、１ｍ2  当たり、１ｍｍ厚みで５ｋｇ〜１２ｋｇが好適である。厚みとしては、０．８ｍｍや１．５ｍｍが好適である。
このシートも市販されているものでよく、特別なものである必要はない。
【００１５】
以上が本発明の構成要素であるが、これ以外にも本発明の趣旨を逸脱しないものであれば挟み込んでも良い。また、全体の厚みとしては、薄畳用、通常の厚みの畳用それぞれで自由に厚みを決めればよく限定するものではない。例えば、１５ｍｍ〜５５ｍｍである。
【発明の効果】
【００１６】
本発明には次のような効果がある。
（１）  木質繊維ボードを使用していないため、非常に軽量であり、かつ、丸洗いができる。
（２）  ハニカム構造体で、強度のあるものを使用しているため、車椅子の走行が可能であり、その跡も付きにくい。
（３）  ダニ等の住処にならないため、アレルギー等の心配がない。
（４）  丸洗いができるため、清潔に保てる。
（５）  浴室内でも使用できるため、高齢者や身体障害者用の浴室が簡単にできる。
（６）  表面に消臭シートが設けられているため、部屋の悪臭や化学物質を吸着する。
（７）  薄畳や通常の厚い畳、その他どのような畳にも利用できる床である。
【図面の簡単な説明】
【００１７】
【図１】本発明畳床１の１例を示す部分断面図である。
【発明を実施するための最良の形態】
【００１８】
以下実施例に従って本発明をより詳細に説明する。しかし実施例に限定するものではない。
【実施例】
【００１９】
図１は、本発明畳床１の１例を示す部分断面図である。
下層から順に、裏面シート２、低発泡ポリプロピレンボード３、発泡スチロールボード４、ハニカム構造ボード５、低発泡ポリプロピレンボード６、消臭カーボンシート７である。
【００２０】
この例では、全体の厚みは３５ｍｍである。これを全体として固着するには、各層を接着してもよいが、従来のように全体として逢着するのがよい。接着剤を使用しないので、シックハウス症候群等の予防にもなる。
【００２１】
各層の厚みは、低発泡ポリプロピレンボードは上下とも２ｍｍであり、ハニカム構造ボード５は５．４ｍｍ、発泡スチロールボード４は２０ｍｍである。これに各薄いシート及び畳表を加えて３５ｍｍになる。
【符号の説明】
【００２２】
１  本発明畳床
２  裏面シート
３  低発泡ポリプロピレンボード
４  発泡スチロールボード
５  ハニカム構造ボード
６  低発泡ポリプロピレンボード
７  消臭シート
【図１】
2014088723.tif 000003
(57)【要約】【課題】今までのソーラーパネル設置台は、太陽光の入射角に対してパネルに角度を持たせる構造になっていた。設置場所に対してソーラーパネルは、１段の設置しかできず、ソーラーパネルの陰になる部分の設置はできず、設置場所の面積分よりソーラーパネルの表面積が少なくなっていた。【解決手段】設置場所に半球体の台を並べ内側にソーラーパネルを取り付けることにより、平面での取り付けの約１．５倍のソーラーパネルが設置できる。設置面を半球体の内側に設置することにより、季節により変化する、太陽光の入射角度及び、方向が半球体の内側に３６０度、どの面にも太陽光が効率よく当たることになる。【選択図】図１
2014088750.tif 000002
【特許請求の範囲】
【請求項１】
ソーラーパネルを半球体の内側に設置する、ソーラーパネルの設置台である。
【請求項２】
前記のソーラーパネル設置台は、骨組もしくは、半球体のソーラーパネル設置台であることを特徴とする請求項１記載のソーラーパネル設置台である。
【発明の詳細な説明】
【技術分野】
【０００１】  この発明は、ソーラーパネルの設置形状に関するものである。
【背景技術】
【０００２】  従来のソーラーパネルの設置形状は平面設置であった。
【発明が解決しようとする課題】
【０００３】  今までの、ソーラーパネルは、設置場所の面積と同じ面積か、それより少ない面積しか設置できませんでした。ソーラー発電容量はソーラーパネルの表面積によって決まるために、国土の狭い日本では、ソーラーパネルの表面積に限りがあります。
そこで、この発明は、ソーラーパネル設置面をより多くする為に、半球体の内側に設置場所することを提供する。
【課題を解決するための手段】
【０００４】  以上の課題を解決するために、第一発明は、設置台を半球体にすることを特徴とするソーラーパネル設置台である。
【発明の効果】
【０００５】  第一発明によれば、ソーラーパネルを半球体に設置することにより、設置面が、約１．５倍になるので、発電容量も約１．５倍になる。
【図面の簡単な説明】
【０００６】
【図１】この発明の一実施形態を示す斜視図である。
【図２】従来技術を示す斜視図である。
【図３】この発明の別の実施形態を示す斜視図である。
【発明を実施するための形態】
【０００７】  この発明の一実施形態を、図１に示す。
骨組みでの半球体の内側にソーラーパネルをつけることにより、太陽の入射方向及び角度が半球体内側全体に反応する、それによりソーラーパネルの設置面積が、今までより多くなる。
【他の実施形態】
【００８】  この実施形態、図２によれば、太陽の入射方向及び、入射角度に、最初から角度をつけてソーラーパネルを設置しされている。
【符号の説明】
【００９】図１−１  ソーラーパネル設置台の半球体の骨組み
図２−１  従来のソーラーパネル設置台で傾斜をつけてある
図３−１  ソーラーパネルの設置台を半球体に図
図３−２  半球体にした場合の雨水排水穴
【図１】
2014088750.tif 000003
【図２】
2014088750.tif 000004
【図３】
2014088750.tif 000005
(57)【要約】【課題】省エネルギーの建築物を造るために、プラスターボードと遮熱シートが一体すること提供する。【解決手段】プラスターボード（１）の外面に、遮熱シート［遮熱塗装］（２）を設けた遮熱ボードを特徴とする。【選択図】図１
2014129712.tif 000002
【特許請求の範囲】
【請求項１】
プラスターボード［石膏ボード］の外面に遮熱シート材［遮熱塗装］を設けた遮熱ボード。
【発明の詳細な説明】
【技術分野】
【０００１】  この発明は、プラスターボード［石膏ボード］の外面に、遮熱シートまたは、遮熱塗装を設けた遮熱ボードに関するものである。
【背景技術】
【０００２】  従来、プラスターボード［石膏ボード］は耐火性や遮音性などは優れていたものの、遮熱性能にはかけておりました。これからの時代に遮熱ボードを使う事によって省エネルギー住宅を実現すると思います。
【発明の開示】
【発明が解決しようとする課題】
【０００３】  従来のプラスターボードは、耐火性や遮音性などのボードばかりでした。
遮熱シートも建築物の外部に施工するものばかりです。
これでは、住宅の隙間が沢山出来てしまい、省エネルギー住宅には、成りませんでした。
本発明は、以上のような欠点をなくすためになされたものである。
【課題を解決するための手段】
【０００４】プラスターボード（１）の外面に遮熱シート［遮熱塗装］（２）を設ける。
本発明は、以上の構成よりなる遮熱ボードである。
【発明の効果】
【０００５】プラスターボードと遮熱シート［遮熱塗装］が一体になっているので、家の中の、ひとつひとつの部屋でも遮熱効果があり電気料金の節約になります。
【発明を実施するための最良の形態】
【０００６】以下、本発明を実施するための最良の形態について説明する。
プラスターボード（１）の外面に遮熱シート［遮熱塗装］（２）を設ける。
本発明は、以上のような構造である。
この遮熱ボードを使用する時は、建築物を造るときに使用する。
【図面の簡単な説明】
【０００７】
【図１】本発明の斜視図である。
【図２】本発明の断面図である。
【符号の説明】
【０００８】１  プラスターボード
２  遮熱シート［遮熱塗装］
【図１】
2014129712.tif 000003
【図２】
2014129712.tif 000004
(57)【要約】【課題】前扉ガラスの温度上昇を防ぎ、且つ、正面の全方向からの、調理室内の目視確認を可能とすること【解決手段】前扉ガラスの裏面に、無数の貫通小孔を形成して無数の小開口で網目状としたパンチングプレートを取付ける。ヒーター（発熱体）よりの熱線の大部分は、前扉ガラスの手前のパンチングプレートにより調理室内に向け反射することで、前扉ガラスの加熱は低減されて、前扉ガラスの過熱による破損は防止される。パンチングプレートの無数の貫通小孔（無数の小開口）を通して、正面の全方向からの、調理室内の目視確認が可能である。【選択図】図２
2014129988.tif 000002
【特許請求の範囲】
【請求項１】
前扉ガラスの裏面に、無数の貫通小孔を有するパンチングプレートを取付け、発熱体ユニットよりの熱線を調理室内に向け反射させたことを特徴とするオーブントースター。
【発明の詳細な説明】
【技術分野】
【０００１】
本願発明は、オーブントースターに関するものである。
【背景技術】
【０００２】
オーブントースターにおいては、調理状態を確認すべく、前扉を透明ガラスとしている。
【先行技術文献】
【特許文献】
【０００３】
【特許文献１】特開２０００−５１０９４号公開特許公報
【発明の概要】
【発明が解決しようとする課題】
【０００４】
特開２０００−５１０９４号公開特許公報「オーブントースター」（特許文献1）には、図５を参照して、前扉ガラス３の裏面に格子状の遮蔽板1を設けることを開示している。該格子状の遮蔽板1は、ヒーター（発熱体）４からの輻射熱を反射させることで、前扉ガラス３の温度上昇を低減するとともに、調理室の前面部の温度を高めて、焼むらの発生を防いでいる。
【０００５】
前記の公知のオーブントースターにおいては、図５の矢印イ方向に限定して、調理室内の調理物の焼加減の目視確認は可能であるが、他の方向、例えば図５の矢印ロ方向の目視確認、即ち、正面視での目視確認は不可能である。
ょって、本願発明は、前扉ガラスの温度上昇を防ぎ、且つ、正面の全方向からの、調理室内の目視確認を可能とすることを課題とする。
【課題を解決するための手段】
【０００６】
本願発明は、前扉ガラスの裏面に、無数の貫通小孔により網目状のパンチングプレートを取付けたことを特徴とする。
【発明の効果】
【０００７】
本願発明は、ヒーター（発熱体）よりの熱線の大部分は、前扉ガラスの手前のパンチングプレートにより調理室内に向け反射することで、前扉ガラスの加熱は低減されて、前扉ガラスの過熱による破損は防止される。
パンチングプレートの無数の貫通小孔（無数の小開口）を通して、正面の全方向からの、調理室内の目視確認が可能である。
【図面の簡単な説明】
【０００８】
【図１】前扉を開放した状態で示す、本願発明の実施例を示すオーブントースターの斜視図。
【図２】オーブントースターの側面視の縦断面図。
【図３】パンチングプレートの斜視図。
【図４】パンチングプレートの部分平面図で、ａ図は円形の貫通小孔を千鳥状配置で示し、ｂ図は四角形の貫通小孔を格子状配置で示す。
【図５】公知のオーブントースターの部分縦断面図。
【発明を実施するための最良の形態】
【０００９】
前扉ガラスの裏面に、無数の貫通小孔を配置したパンチングプレートを取付ける。
【実施例】
【００１０】
以下、図1ないし図4に示す実施例にもとづいて、本願発明を詳細に説明する。
【００１１】
オーブントースターの全体斜視図である図１を参照して、箱型ケース6の内部で調理室が形成され、調理室の内部に、焼網７と上下２本のヒーター（発熱体）４が装備されている。
【００１２】
調理室の前面開口を開閉する前扉２を設け、前扉２の開閉操作に連動して焼網７を前後動するための焼網支持手段8を装備する。
【００１３】
図2及び図３を参照して、本願発明の要部を説明する。
【００１４】
前扉２は、前扉ガラス３の周囲に枠体９を固定して構成している。
【００１５】
前扉ガラス７の裏面側（調理室側）に位置して、パンチングプレート10を枠体9に固定する。
【００１６】
パンチングプレート10の取付け構造として、ビス止め、スポット溶接、係止構造等の公知の固定手段を適用する。
【００１７】
つぎに、パンチングプレート10について説明する。
パンチングプレート10は、金属鉄板に、無数の貫通小孔11を打抜いた構成とする。
【００１８】
貫通小孔11について、図4の（ａ）の実施例では、円形とし、千鳥配置としたが、図4の（ｂ）に示すごとく、格子状配置としてもよい。さらに、ランダム配置としてもよい。きた、円形、正方形に限定されるものではなく、四角形、楕円形、菱型、亀甲型、その他適宜の形状を選択できるものである。
【００１９】
パンチングプレート10は、表面側を塗装することでオーブントースターの外観意匠を良好とし、裏面側をメッキ・塗装することにより熱線反射機能を良好とすることができる。
【００２０】
本発明のオーブントースターによる調理にあたり、ヒーター（発熱体）よりの熱線は、焼網７上の調理物Ｍを加熱するとともに、パンチングプレート10も加熱する。
この際、熱線の一部は、貫通小孔11を通過して前扉ガラス7を加熱するとともに前扉ガラス３の前方の室内を加熱する。
しかし、ヒーター（発熱体）4よりの熱線の大部分は、パンチングプレート10の通過を阻止されて前扉ガラス7を加熱しない。
【００２１】
よって、前扉のガラスの過熱が阻止されることで前扉のガラスの破損は防止される。また、前扉の前方の室内の温度上昇も阻止される。
【００２２】
また、パンチングプレート10による熱線（赤外線光線）の反射により調理室（特に前扉寄りの前面寄り部分）が加熱されて、調理室内の温度が均一化して調理物の加熱漏れを生じない。
【００２３】
パンチングプレート10には、多数の貫通小孔11が存在することで、透視性が確保され、調理室内の状態を確認できる。
【００２４】
グラファイトフイルムシートやカーボン繊維を発熱体素体とする発熱体ユニットを使用した場合は、熱線が高温である分、パンチングプレートを載置することの効果は大である。
【００２５】
加熱時に、パンチングプレートの無数の貫通小孔21により、調理室の前面に無数の点光源を示すことで、加熱時に製品前面の意匠効果を高めることができる。また、非加熱時においても、無数の貫通小孔21が存在することで、製品前面を特徴あるデザインとして製品の意匠効果を高めることができる。
【産業上の利用可能性】
【００２６】
本願発明は、オーブントースターの利用を高めることで、電気加熱製品製造産業の発展に寄与するものである。
【符号の説明】
【００２７】
２  前扉  
３  前扉ガラス    
10    パンチングプレート
11    貫通小孔
【図１】
2014129988.tif 000003
【図２】
2014129988.tif 000004
【図３】
2014129988.tif 000005
【図４】
2014129988.tif 000006
【図５】
2014129988.tif 000007
(57)【要約】【課題】  大葉を長期間保存できる容器を提供する。【解決の手段】  容器の底部に入れた水を吸い上げることによって鮮度を保ち、大葉が長期間保存できるようにした大葉保存用の容器を特徴とする。【選択図】図１
2014189335.tif 000002
【特許請求の範囲】
【請求項１】
主脈を通して水を吸い上げることによって葉の鮮度を保ち、長期間保存できるようにした大葉保存用の容器。
【請求項２】
前記容器の内部に、複数枚の大葉の主脈をまとめて乗せることが可能な乗せ台を有することを特徴とする請求項１に記載の容器。
【請求項３】
前記容器の一部に、空気の出入りが可能な空気孔を有することを特徴とする請求項１に記載の容器。
【発明の詳細な説明】
【技術分野】
【０００１】  この発明は、容器の底部に入れた水を吸い上げることによって鮮度を保ち、大葉が長期間保存できるようにした大葉保存用の容器に関するものである。
【背景技術】
【０００２】  従来、大葉を長期間保存するための容器がなかった。
【発明の開示】
【発明が解決しようとする課題】
【０００３】  これには、次のような欠点があった。
大葉は、ビニール袋等に入れて冷蔵庫でそのまま保存すると、数日で葉が黒ずんで傷んでしまった。
本発明は、以上のような欠点をなくすためになされたものである。
【課題を解決するための手段】
【０００４】  容器の内部に、複数枚の大葉の主脈をまとめて支えることが可能な乗せ台を有し、この上に乗せた大葉の主脈が容器の底部に入れた水を吸い上げることによって鮮度を保ち、大葉を長期間保存できるようにした容器。
本発明は、以上の構成よりなる大葉保存用の容器である。
【発明の効果】
【０００５】  容器底部の水を吸い上げて大葉の鮮度が保たれるため、冷蔵庫で数週間の保存が可能となる。
【発明を実施するための最良の形態】
【０００６】  以下、本発明を実施するための最良の形態について説明する。
乗せ台の上に複数枚の大葉の主脈をまとめて乗せ、容器底部に設けた水を満たしたスポンジの穴に入れる。大葉が主脈を通して水を吸い上げ、長期間の保存が可能となる。
本発明は、以上のような構造である。
【図面の簡単な説明】
【０００７】
【図１】  本発明の斜視図である。
【図２】  乗せ台の斜視図である。
【図３】  乗せ台の使用例斜視図である。
【符号の説明】
【０００８】１  容器の蓋
２  空気穴
３  容器
４  乗せ台
５  みぞ
６  スポンジ
７  大葉
【図１】
2014189335.tif 000003
【図２】
2014189335.tif 000004
【図３】
2014189335.tif 000005
(57)【要約】【課題】容器の素材を変更することにより炭酸ガスの排出を削減し、地球環境の保全に貢献する。【解決の手段】本発明はガラス、ペット、紙やプラスティックを素材として製作される容器について、その素材を石灰石を主体とするシートに変更しようというものである。【特許請求の範囲】
【請求項１】
防水・防カビシートに石灰石等の無機鉱物粉末５１〜８５重量％と高密度ポリエチレンあるいはポリスチレン４８〜１３重量％、および約１〜２重量％の添加物で構成されている厚さ１８〜２００ミクロンのシート素材を用いたガラス、ペット、紙やプラスチィク製に代わる簡易容器
【発明の詳細な説明】
【技術分野】
【０００１】使用後リサイクルされない簡易容器に関する。
【背景技術】
【０００２】今日地球環境を保全する上で炭酸ガスの排出削減は極めて重要視されている。中でもプラスティックと紙の処分は重要である。【０００３】防水された紙や発砲スチロール等のプラスティックで製作された簡易容器があり、水分の漏出を防ぐ上で重宝されている。特にその利便性から、食品関係の簡易容器としての需要は大きい。【０００４】容器は使用後には原則としてリサイクルされることになっている。しかしリサイクルには分別回収や再生のための多額の費用が必要であり必ずしも順調ではない。【０００５】他に、容器の素材として、石灰石等の無機鉱物粉末を主体とするシート（例えば、特許文献１）を用いた容器がある。
【先行技術文献】
【特許文献】
【０００６】
【特許文献１】  特許  ４７３９４８７号  公報
【発明の概要】
【特許が解明しようとする課題】
【０００７】廃棄される家庭ゴミの４４，４％を占める容器包装の削減は喫緊の課題である。
【課題を解決するための手段】
【０００８】本発明はガラス、ペット、紙やプラスティックを素材として製作される容器について、その素材を石灰石等を主体とするシートに変更しようというものである。
【発明の効果】
【０００９】本発明により、経費の削減と現下の喫緊の課題である最終処分時の炭酸ガス排出量の大幅な削減に寄与するものとなる。
(57)【要約】【課題】  共同住宅等の不適切ゴミ排出者だけを特定する手段を提供する。自分が出したゴミに名札を付けて出すのは抵抗がある。【解決手段】  共同住宅等入居者の部屋が特定出来る専用バーコード等をゴミ袋等に貼りつけてゴミを出してももらう。  ゴミ回収後ゴミ置場に放置された不適切排出ゴミ袋等のバーコード等を読み取って不適切ゴミ排出者に注意して、ゴミ出しの指導を行う。 ゴミの不適切排出者は、故意に不適切に排出しているのは少なく、ゴミ回収システムが、各地方自治体によって異なるので以前の住居地のゴミ回収システムと錯誤して、不適切に排出している事も考えられるので注意、指導すれば適切にゴミを出してくれると思える。【選択図】  図１
2014189366.tif 000002
【特許請求の範囲】
【請求項１】
ゴミの不適切排出者だけを特定してゴミ管理を行うことを特徴とするゴミ管理システム。
【請求項２】
ゴミ袋等に一目では特定できないが、読取機等で特定可能なバーコード等を貼りつけてゴミを出してもらい、不適切に排出された為に回収されないで放置されたゴミ袋等に貼りつけたバーコード等を読取り、不適切ゴミ排出者だけを特定してゴミ管理を行う請求項１記載のゴミ管理システム
【請求項３】
ゴミ袋等に数字又は記号等を記入又は貼りつけてゴミを出してもらい、不適切に排出された為に回収されないで放置されたゴミ袋等に記入又は貼りつけた数字又は記号等から、不適切ゴミ排出者だけを特定してゴミ管理を行う請求項１記載のゴミ管理システム。
【発明の詳細な説明】
【技術分野】
【０００１】
本発明は、共同住宅等で不適切に排出されたゴミの排出者だけを、特定するゴミ管理システムである。
【背景技術】
【０００２】
共同住宅等では複数の入居者が、一か所にゴミを出して回収してもらっている。
そして、そのゴミが不適切に排出された場合は回収されずに放置される。
その不適切ゴミ排出者が特定できない時は、共同住宅等管理者がその都度不適切排出ゴミを、かたづけないといけないという課題がある。
共同住宅等のゴミの管理を確実に行うには、
１、共同住宅等の全入居者毎の専用ゴミ置場を設置する。
２、ゴミ袋等に部屋番号等を記入して出してもらう。
以上の方法があるが、
１、の方法は共同住宅等限られたスペースを有効に利用するにはコスト高になる。
２、の方法はゴミ排出者を一目で特定できるが、自分が出したゴミに名札を付けて出すのは抵抗がある。
ゴミの不適切排出者は、故意に不適切に排出しているのは少なく、ゴミ回収システムが、各地方自治体によって異なるので以前の住居地のゴミ回収システムと錯誤して、不適切に排出している事も考えられるので注意、指導すれば適切にゴミを出してくれると思える。
下記の特許文献１．２のようにバーコードを利用してのゴミ管理システムがあるが、いずれも排出される全てのゴミを管理している。
本発明は、不適切排出ゴミだけを特定管理するシステムである。
【先行技術文献】
【特許文献】
【０００３】
【特許文献１】特開２００２−２４５１５９号公報
【特許文献２】特開２００１−０１９１１０号公報
【発明の概要】
【発明が解決しようとする課題】
【０００４】
共同住宅等においてゴミ置場に、不適切に排出された為に回収されないで放置された不適切ゴミの排出者だけを特定するゴミ管理システム。
【課題を解決するための手段】
【０００５】
ゴミ袋等に一目では特定できないが、読取機等で特定できるバーコード等を貼りつけてゴミを出してもらい、そのバーコード等に部屋番号等が特定できる数字等を割り当てる。
そうすれば、不適切に排出された為に回収されずに放置されたゴミ袋等のバーコード等で不適切ゴミ排出者だけを、読取機等で特定し注意、指導してゴミ管理を行なえる。
【発明の効果】
【０００６】
以上説明したように、本発明によれば以下の効果を得る。
ゴミ袋等に一目で特定できる部屋番号等を記入して出すと、自分のゴミに名札を付けて出しているようで抵抗がある。
ゴミ袋等にバーコード等一目では特定できないシール等を、貼りつけて出してもらえば一目ではゴミを出した者を特定できないが、不適切に排出された為に回収されずに放置されたゴミ袋等のバーコード等を、読み取って不適切ゴミ排出者だけを特定できる。
適切に出したゴミは回収されるので、適切にゴミを出した者のプライバシは守られる。
【図面の簡単な説明】
【０００７】
【図１】ゴミ置場に出されたゴミ袋等の図である。
【図２】適正に出されたゴミ袋等を回収車が、回収して行く図である。
【図３】不適切に排出された為に回収されず、ゴミ置場に放置されたゴミ袋等の図である。
【発明を実施するための形態】
【０００８】
共同住宅等の入居者毎に各部屋専用の、一目では特定できないが読取機等で特定可能なバーコード等をゴミ袋等に貼りつけて出してもらう。
適切に出されたゴミ袋等は回収されるが、不適切に排出されたゴミは回収されずにゴミ置場に放置される。
不適切に排出された為に回収されずに放置されたゴミ袋等のバーコード等を読取って不適切ゴミ排出者を特定して注意、指導をする。
【実施例１】
【０００９】
図１
ゴミ置場１へのゴミ袋等２，３出しは、各部屋専用のバーコード等４を貼りつけて  出してもらう。
図２
適切に出されたゴミ袋等２は、ゴミ回収車５に回収される。
図３
不適切に排出されたゴミ袋等３は、回収されずにゴミ置場１に放置される。
放置されたゴミ袋等３のバーコード等４から不適切ゴミ排出者を特定する。
【産業上の利用可能性】
【００１０】
ゴミ袋等にバーコード等を貼りつけてゴミを出してもらい、適正ゴミは回収されるので特定されない。
回収されないで放置された不適切ゴミ排出者を特定できることによって、共同住宅等のゴミ置場の管理を容易に行うことができるゴミ管理システム。
共同住宅等のゴミの管理を確実に行うには、
１、共同住宅等の全入居者毎の専用ゴミ置場を設置する。
２、ゴミ袋等に部屋番号等を記入して出してもらう。
以上の方法があるが、
１、の方法は共同住宅等限られたスペースを有効に利用するにはコスト高になる。
２、の方法はゴミ排出者を一目で特定できるが、自分が出したゴミに名札を付けて出すのは抵抗がある。
ゴミの不適切排出者は、故意に不適切に排出しているのは少なく、ゴミ回収システムが、各地方自治体によって異なるので以前の住居地のゴミ回収システムと錯誤して、不適切に排出している事も考えられるので注意、指導すれば適切にゴミを出してくれると思える。
【符号の説明】
【００１１】
１  ゴミ置場
２  適切排出ゴミ袋等
３  不適切排出ゴミ袋等
４  バーコード等
５  ゴミ回収車
【図１】
2014189366.tif 000003
【図２】
2014189366.tif 000004
【図３】
2014189366.tif 000005
(57)【要約】【課題】防水・防カビ・防虫を目的とする段ボール箱【解決の手段】段ボールライナーに石灰石等を主成分とする環境に優しいシートを貼り付けることにより、防水・防カビ・防虫を容易にしたことを特徴とする段ボール箱【特許請求の範囲】
【請求項１】
段ボール箱の段ボールライナーであって、石灰石等の無機鉱物粉末５１〜８５重量％と高密度ポリエチレン４８〜１３重量％、および約１〜２重量％の添加物を配合した厚さ１８〜２００ミクロンのシートを貼り付けることを特徴とする段ボールライナー
【請求項２】
内面または外面あるいは両面に防水・防カビ面を備えた段ボール箱
【請求項３】
表面に自由な印刷が可能なことを特徴とする段ボールライナーを用いた段ボール箱
【発明の詳細な説明】
【技術分野】
【０００１】本発明は、段ボール箱の強度、防水、防カビを容易に達成するシートの活用に関する。
【背景技術】
【０００２】本来、段ボールは原料として主に古紙・クラフトパルプを用いて製造されており、構造は表面となるライナーに波形加工した中芯を貼り付け、さらに裏側をライナーで補強したシートである。【０００３】この段ボールシートは繊維が粗く、含水速度が速くカビが付着、腐敗し易い弱点があることから、強度や防湿、防水、防カビ性能等が求められる。このため、樹脂のラミネートを使用（例えば、特許文献１）、段層を多くし、プラスティックで補強「（例えば、特許文献２）、あるいは金属酸化物を蒸着した積層体を積層材として使用（例えば、特許文献３）、などの対処をしている。【０００４】しかし、段ボールの多様な用途から見て充分な状態ではなく、防カビ性能の強化や表面の良好な印刷性能が求められる。【０００５】また、別途環境に優しい用紙として以下に示すシート（例えば、特許文献４）が知られている。【０００６】環境に優しいシートは、石灰石等の無機鉱物粉末７０〜８０重量％と高密度ポリエチレン２９〜１８重量％、および約１〜２重量％の添加物で構成されている厚さ１８〜４００ミクロンのシート素材である。
【先行技術文献】
【特許文献】
【０００７】
【特許文献１】登録実用新案  ３１３０１９０  公報
【特許文献２】登録実用新案  ３１３２７７７  公報
【特許文献３】公開特許公報  特開第２０１０−１２０６４５
【特許文献４】特許  ４７３９４８７号  公報
【発明の概要】
【特許が解明しようとする課題】
【０００８】段ボールは段ボール箱の素材として最も多く使われており、軽さと強度、構造に由来する衝撃吸収性および何度も折り畳んで組み立てられる利便性から物品の輸送や保管の面で重宝されている。しかし、物品保管の上で、水漏れやカビの発生、虫害等は厳しく防除しなければならない最大の問題である。また、防水、防カビ等の薬品添加剤の使用や対症療法的な素材が投入され、構造を複雑にしているケースもある。さらに、最終処分時の炭酸ガス排出量の削減への配慮も必要である。
【課題を解決するための手段】
【０００９】本発明は、段ボールライナーに環境に優しい石灰石主成分のシートを貼り付けることにより、諸課題を一挙に解決しようというものである。
【発明の効果】
【００１０】本発明は、１枚の石灰石等無機鉱物粉末を主体とするシートを、簡単な工程で段ボールライナーに貼り付けることにより、物品の輸送や保管の上で最大の難題であった防水、防カビ、防虫害の効果を得ることになる。結果として、段ボール箱の衝撃吸収性と利便性は一段と高くなり、現下、喫緊の課題である最終処分時の炭酸ガス排出量の大幅な削減にも寄与するところが大きいものとなる。